(57)【特許請求の範囲】
【請求項１】
平面矩形のマット基材と、先端に絶縁ホルダーを有するリード線を縁部から突出させてなる面状ヒーターと、横方向で隣接する各マット基材のリード線同士を繋ぐ為の硬質のコネクタと、を備えた防音暖房式床パネルにおいて、マット基材の端部に上方に開口を有し横方向に貫通する貫通溝を設け、貫通溝の一部を部分的に幅広として凹所を形成し、凹所内にコネクタを内設し、凹所内に絶縁ホルダーを引き込めるよう面状ヒーターをマット基材上面に配設し、凹所の上側を覆う板状カバー材を設け、この板状カバー材を、コネクタの上面を覆う着脱自在な硬質板状のコネクタカバーと、リード線の上面を覆う固定された硬質板状のリード線カバーとで形成し、コネクタカバーとリード線カバーの継目が凹所内に引込まれた絶縁ホルダーの上側となるようにしたことを特徴とする防音暖房式床パネル。
【請求項２】
貫通溝端部開口の平面外形を外方に向って広くなる形状としたことを特徴とする請求項１記載の防音暖房式床パネル。
【請求項３】
マット基材を、所定の部位が打ち抜かれてなるマット基材本体と、所定の部位に補填されることで貫通溝の底部を形成するマット基材本体と同程度の硬さを備えたマット片と、で形成したことを特徴とする請求項１記載の防音暖房式床パネル。
【発明の詳細な説明】
【０００１】
【発明の属する技術分野】
本発明は、平面矩形のマット基材と、先端に硬質の絶縁ホルダーを有するリード線を縁部から突出させてなる面状ヒーターと、横方向で隣接する各マット基材のリード線同士を繋ぐ為の硬質のコネクタと、を備えた防音暖房式床パネル及びマット基材製造方法に関するものである。
【０００２】
【従来の技術】
従来から、防音暖房式床パネルは図６に示すように、合板（１１）と表層板（１２）からなる基材（１０）の間に、先端に硬質の絶縁ホルダー（２）を有するリード線（３）を縁部から突出させてなる面状ヒーターを挟設するようにしていた。又、基材（１０）は隣接して敷設されるもので、隣接する各基材（図示せず）のリード線を接続する為のコネクタ（５）を設けてもいた。コネクタ（５）はこの時合板（１１）に設けた貫通溝（６）の一部を利用して貫通溝（６）内に配設される。貫通溝（６）内にコネクタ（５）を設けておけば、貫通溝（６）両端の開口から隣接する基材のリード線を引き込むことができる。又、コネクタ（５）に絶縁ホルダー（２）を接続する為の孔を表層板（１２）に設けると共に、この孔を塞ぐ同質の蓋（１３）を開閉自在に設けてもいた。
【０００３】
これにより、防音暖房式床パネルは、簡単に施工することができるようになり、世間一般に広く普及するようになった。
【０００４】
【発明が解決しようとする課題】
しかしながら、上記従来の技術においては、基材（１０）を合板（１１）と表層板（１２）とで形成する為に防音性能に関しては、充分に満足できる迄には至らなかった。即ち、基材（１０）が硬いので充分に音を吸収することができないのである。
【０００５】
そこで、防音に優れるマット状のもので基材を形成したマット基材なるものが考案され、マット基材に各種の温熱装置を組み込むタイプの防音暖房式床パネルが各種考案された。
【０００６】
これらのものは、基材を柔らかくしたことが原因で各種の不具合が生じ、様々な工夫が必要となった。基材を柔らかくしたことで上方からの押圧に抗する力が低下し、それを補う為の補強などである。特に貫通溝は溝を形成する為に他の部位に比べて強度的に弱く、それを補強することが重要な課題となった。
【０００７】
本発明は、上記事由に鑑みてなしたもので、その目的とするところは、貫通溝の強度低下を補うと共に配線の際のリード線の断線等を未然に防ぐことのできる防音暖房式床パネルを提供することにある。
【０００８】
【課題を解決するための手段】
上記目的を達成するために、本発明の防音暖房式床パネルにあっては、請求項１に記載したように、平面矩形のマット基材と、先端に絶縁ホルダーを有するリード線を縁部から突出させてなる面状ヒーターと、横方向で隣接する各マット基材のリード線同士を繋ぐ為の硬質のコネクタと、を備えた防音暖房式床パネルにおいて、マット基材の端部に上方に開口を有し横方向に貫通する貫通溝を設け、貫通溝の一部を部分的に幅広として凹所を形成し、凹所内にコネクタを内設し、凹所内に絶縁ホルダーを引き込めるよう面状ヒーターをマット基材上面に配設し、凹所の上側を覆う板状カバー材を設け、この板状カバー材を、コネクタの上面を覆う着脱自在な硬質板状のコネクタカバーと、リード線の上面を覆う固定された硬質板状のリード線カバーとで形成し、コネクタカバーとリード線カバーの継目が凹所内に引込まれた絶縁ホルダーの上側となるようにしている。
【０００９】
これにより、貫通溝の強度低下を補うと共に配線の際のリード線の断線等を未然に防ぐことができる。即ち、コネクタの上面を覆うコネクタカバーとリード線の上面を覆うリード線カバーとを設けることで強くなる。又、コネクタカバーとリード線カバーとの継目を絶縁ホルダーの上側にもってくることで、リード線に傷がつくのを防ぐことができる。例えば、継目となる位置にリード線がきてしまうと運搬時にコネクタカバーが外れ、リード線が飛び出し、リード線に引っ張りストレスがかかってしまうとリード線が断線してしまう。又、コネクタカバーを意図的に外した状態で運搬した際にも同じ現象を生じることとなる。コネクタカバーは着脱自在なので、このものが外れた時若しくはこのものを外した時において、その継目の位置が重要な意味を持つ様になってくる。
【００１０】
又、本発明の防音暖房式床パネルにあっては、請求項２に記載したように、貫通溝端部開口の平面外形を外方に向って広くなる形状としても良い。
【００１１】
この場合、隣接する各マット基材に設けたリード線を簡単に接続することができる。即ち、貫通溝端部開口の平面外形を外方に向って広くなる形状とすることで、各マット基材が多少ずれたとしても容易に配線できる。広くなった部分を利用することで配線用のスペースを確保することができる。又、貫通溝そのものを大きくするよりも、本発明の方が強度的に好ましいものとなる。貫通溝はマット基材の中で弱い部位となってしまうので、そのような部位を積極的に大きくするよりもその端部に限って広くすることで、強度の低下を招くことなく施工を容易なものとすることができる。
【００１２】
又、本発明の防音暖房式床パネルにあっては、請求項３に記載したように、マット基材を、所定の部位が打ち抜かれてなるマット基材本体と、所定の部位に補填されることで貫通溝の底部を形成するマット基材本体と同程度の硬さを備えたマット片と、で形成しても良い。
【００１３】
この場合、マット基材の硬さのばらつきを抑えることができる。マット基材の硬さを貫通溝の底部に至る迄同程度のものとすることで、硬さのばらつきを抑えることができる。例えば、貫通溝の底部のみ硬い物で形成してしまうと、このものを踏んだ時に違和感を覚え不快な印象を使用者に与えてしまう。本発明は、使用者の違和感を防止するようマット基材本体と同程度の硬さを備えたマット片で貫通溝の底部を形成し、質感の向上をはかっている。
【００１４】
【発明の実施の形態】
図１乃至４は、本発明の請求項１乃至３に対応する一実施の防音暖房式床パネルを示す説明図である。又、図５は、マット基材の製造方法を示す説明図である。  本実施の形態の防音暖房床パネルは、請求項１に記載したように、平面矩形のマット基材（１）と、先端に絶縁ホルダー（２）を有するリード線（３）を縁部から突出させてなる面状ヒーター（４）と、横方向で隣接する各マット基材（１）（１’）のリード線（３）同士を繋ぐ為の硬質のコネクタ（５）と、を備えた防音暖房式床パネルにおいて、マット基材（１）の端部に上方に開口を有し横方向に貫通する貫通溝（６）を設け、貫通溝（６）の一部を部分的に幅広として凹所（６ａ）を形成し、凹所（６ａ）内にコネクタ（５）を内設し、凹所（６ａ）内に絶縁ホルダー（２）を引き込めるよう面状ヒーター（４）をマット基材（１）上面に配設し、凹所（６ａ）の上側を覆う板状カバー材を設け、この板状カバー材を、コネクタ（５）の上面を覆う着脱自在な硬質板状のコネクタカバー（７）と、リード線（３）の上面を覆う固定された硬質板状のリード線カバー（８）とで形成し、コネクタカバー（７）とリード線カバー（８）の継目が凹所（６ａ）内に引込まれた絶縁ホルダー（２）の上側となるようにしている。
【００１５】
又、該実施の形態の防音暖房床パネルは、請求項２に記載したように、貫通溝（６）端部開口の平面外形を外方に向って広くなる形状としてもいる。
【００１６】
又、該実施の形態の防音暖房床パネルは、請求項３に記載したように、マット基材（１）を、所定の部位が打ち抜かれてなるマット基材本体（１ａ）と、所定の部位に補填されることで貫通溝（６）の底部を形成するマット基材本体（１ａ）と同程度の硬さを備えたマット片（１ｂ）と、で形成してもいる。
【００１７】
図１乃至４に示すように、本実施の形態の防音暖房床パネルにおいては、マット基材本体（１ａ）とマット片（１ｂ）からなるマット基材（１）と、リード線（３）付きの面状ヒーター（４）と、コネクタ（５）と、コネクタカバー（７）と、リード線カバー（８）とを備えている。
【００１８】
マット基材（１）は平面外形が長方形をなしマット基材本体（１ａ）とマット片（１ｂ）とからなる。マット基材本体（１ａ）はマット状のものの所定の部位を打ち抜いたものとする。マット基材本体（１ａ）の打ち抜かれた所定の部位に対してマット片（１ｂ）を補填することで貫通溝（６）を形成する。この時、マット片（１ｂ）はマット基材本体（１ａ）と同質同比重のものとする。又、打ち抜く所定の部位は長方形形状の短辺側端部とする。
【００１９】
又、上記のようにして形成される貫通溝（６）は、その両端部の平面外形が外方に向って開いた状態となるように、Ｒ又は面取り加工を施してなる。又、貫通溝（６）の中程を幅広として凹所（６ａ）を形成し、凹所（６ａ）内にコネクタ（５）を設けるようにしている。
【００２０】
リード線（３）付きの面取りヒーター（４）は、縁部からリード線（３）を突出させてなる。又、リード線（３）が凹所（６ａ）に引込み可能となるようにマット基材（１）の上面に配設されてなる。リード線（３）の先端には絶縁ホルダー（２）が設けてあり。この絶縁ホルダー（２）を介して、リード線（３）はコネクタ（５）に接続される。絶縁ホルダー（２）は樹脂製とする。
【００２１】
コネクタ（５）は、平面外形が略四角形のもので、各辺に一つづつ合計三辺三方に接続口を有している。この内中程の接続口に対して絶縁ホルダー（２）が接続される。他の接続口は隣接して設置されるマット基材（１’）に設けたリード線（３）と接続される。又、コネクタ（５）は凹所（６ａ）に配設されてなり、接続口を有していない残りの一辺を凹所（６ａ）の側壁に当接してなる。
【００２２】
コネクタカバー（７）は金属製の板からなるもので、マット基材（１）の上面に着脱自在に配設されてなる。又、隣接してリード線カバー（８）も配設されており、その継目は絶縁ホルダー（２）の上側にくるようにしている。コネクタカバー（７）はコネクタ（５）を覆うだけでなく貫通溝（６）も全長に渡って覆っている。又、このものは、リード線カバー（８）との継目にテープを貼着して回動自在に開閉できるようにしている。こうすることで、コネクタカバー（７）が外れて無くなってしまうのを防ぐことができる。
【００２３】
リード線カバー（８）は金属製の板からなる。
【００２４】
したがって、以上説明した防音暖房式床パネルによると、貫通溝（６）の強度低下を補うと共に配線の際のリード線（３）の断線等を未然に防ぐことができる。即ち、コネクタ（５）の上面を覆うコネクタカバー（７）とリード線（３）の上面を覆うリード線カバー（８）とを設けることで強くなる。又、コネクタカバー（７）とリード線カバー（８）との継目を絶縁ホルダー（２）の上側にもってくることで、リード線（３）に傷がつくのを防ぐことができる。例えば、継目となる位置にリード線（３）がきてしまうと運搬時にコネクタカバー（５）が外れ、リード線（３）が飛び出し、リード線（３）に引っ張りストレスがかかってしまうとリード線（３）が断線してしまう。又、コネクタカバー（５）を意図的に外した状態で運搬した際にも同じ現象を生じることとなる。コネクタカバー（７）は着脱自在なので、このものが外れた時若しくはこのものを外した時において、その継目の位置が重要な意味を持つ様になってくる。
【００２５】
又、隣接する各マット基材（１）に設けたリード線（３）を簡単に接続することができる。即ち、貫通溝（６）端部開口の平面外形を外方に向って広くなる形状とすることで、各マット基材（１）が多少ずれたとしても容易に配線できる。広くなった部分を利用することで配線用のスペースを確保することができる。又、貫通溝（６）そのものを大きくするよりも、本発明の方が強度的に好ましいものとなる。貫通溝（６）はマット基材（１）の中で弱い部位となってしまうので、そのような部位を積極的に大きくするよりもその端部に限って広くすることで、強度の低下を招くことなく施工を容易なものとすることができる。
【００２６】
又、マット基材（１）の硬さのばらつきを抑えることができる。マット基材（１）の硬さを貫通溝（６）の底部に至る迄同程度のものとすることで、硬さのばらつきを抑えることができる。例えば、貫通溝（６）の底部のみ硬い物で形成してしまうと、このものを踏んだ時に違和感を覚え不快な印象を使用者に与えてしまう。本発明は、使用者の違和感を防止するようマット基材本体と同程度の硬さを備えたマット片（１ｂ）で貫通溝（６）の底部を形成し、質感の向上をはかっている。
【００２７】
尚、図５に示すように本実施の形態のマット基材（１）の製造方法は、請求項３記載のマット基材（１）を製造するマット基材製造方法において、平面矩形のマット状のものの所定の部位を打ち抜くことでマット基材本体（１ａ）を形成すると共に、打ち抜いた部位にマット片（１ｂ）を補填することで貫通溝（６）を形成し、マット基材本体（１ａ）とマット片（１ｂ）とでマット基材（１）を製造する。
【００２８】
又、以上説明したマット基材（１）の製造方法によると、硬さのばらつきが少ないマット基材（１）を簡単に製造することができる。例えば押圧加工で貫通溝（６）を形成しようとすると、その圧力により貫通溝（６）底部の比重が上がり、貫通溝（６）底部のみ硬くなってしまう。本発明はマット片（１ｂ）をマット基材本体（１ａ）とは別に用意することで、貫通溝（６）に至る迄略均等な密度分布を形成し、良質なマット基材（１）を製造することができる。
【００２９】
【発明の効果】
上述の如く、請求項１記載の発明によれば、貫通溝の強度低下を補うと共に配線の際のリード線の断線等を未然に防ぐことができる。
【００３０】
そして、請求項２記載の発明によれば、隣接する各マット基材に設けたリード線を簡単に接続することができる。
【００３１】
そして、請求項３記載の発明によれば、マット基材の硬さのばらつきを抑えることができる。
【図面の簡単な説明】
【図１】本発明の一実施の形態である防音暖房式床パネルを示す平面図である。
【図２】該実施の形態である防音暖房式床パネルを示す斜視図である。
【図３】該実施の形態である防音暖房式床パネルを隣接して敷設した状態を示す平面図である。
【図４】該実施の形態である防音暖房式床パネルを隣接して敷設した状態を示す斜視図である。
【図５】該実施の形態である防音暖房式床パネルのマット基材の製造方法を示す説明図である。
【図６】本発明の従来の技術である防音暖房式床パネルを示す斜視図である。
【符号の説明】
１    マット基材
１ａ  マット基材本体
１ｂ  マット片
２    絶縁ホルダー
３    リード線
４    面状ヒーター
５    コネクタ
６    貫通溝
６ａ  凹所
７    コネクタカバー
８    リード線カバー
【図１】
0003685075.tif 000002
【図２】
0003685075.tif 000003
【図３】
0003685075.tif 000004
【図４】
0003685075.tif 000005
【図５】
0003685075.tif 000006
【図６】
0003685075.tif 000007